(57)【要約】【課題】ガイドレール側面即ち背面幅からのレールクリップの突出量が少なく、昇降路内の他の機器との干渉がなく、また、見栄えが良く、展望用エレベータなど、昇降路内部が見えるエレベータにおいて意匠性に優れたエレベータ用ガイドレールの支持具を得る。【解決手段】略Ｔ字形の断面のガイドレール１１の背面巾からの突出量を小さくした板状のレールクリップ１３と、ガイドレール１１の背面に設けられ、このガイドレール１１に対してレールクリップを、諦結ボルト１４を介して固定するレールブラケット１２とを備え、レールクリップ１３は、ガイドレール１１に対し略Ｌ字状に曲げ、このＬ字状の一辺に締結ボルト１４が挿通される穴または切欠きを設け、Ｌ字状の他の一辺がガイドレール１１の一面を押しつけるバネ性を持たせるように一部を曲げて構成される。【選択図】　　　　図１
2004018260.tif 000002
【特許請求の範囲】
【請求項１】
略Ｔ字形の断面のガイドレールの背面巾からの突出量を小さくした板状のレールクリップと、
上記ガイドレールの背面に設けられ、該ガイドレールに対して上記レールクリップを、諦結ボルトを介して固定するレールブラケットと
を備えたことを特徴とするエレベータ用ガイドレールの支持具。
【請求項２】
上記レールクリップは、上記ガイドレールに対し、略Ｌ字状に曲げられ、該Ｌ字状の一辺に上記締結ボルトが挿通される穴または切欠きが設けられ、上記Ｌ字状の他の一辺が上記ガイドレールの一面を押しつけるバネ性を持たせるように一部を曲げて構成されることを特徴とする請求項１記載のエレベータ用ガイドレールの支持具。
【請求項３】
上記レールブラケットは、ボルトとネジ穴を介して上記ガイドレールの背面を押し付ける押圧機構を有することを特徴とする請求項１または２記載のエレベータ用ガイドレールの支持具。
【請求項４】
上記押圧機構は、上記ボルトが挿通されるレールクリップ固定部と、上記ネジ穴が形成された押圧調整部からなり、上記レールクリップ固定部と上記押圧調整部を溶接して一体化した構造をなすことを特徴とする請求項３記載のエレベータ用ガイドレールの支持具。
【発明の詳細な説明】
【０００１】
【発明の属する技術分野】
この発明は、エレベータ用ガイドレールの支持具に関するものである。
【０００２】
【従来の技術】
図３は、従来のエレベータ用ガイドレールの支持具を示すもので、図３（ａ）はその断面図、図３（ｂ）はかご側から見たその正面図である。
図３において、１はガイドレール、２はレールブラケット、３はレールクリップ、４はボルト、５はナット、６は座板、７は建築梁である。
【０００３】
ガイドレール１は略Ｔ字状をしており、このガイドレール１を挟み込むように、ガイドレール１の背面にレールブラケット２を、ガイドレール１の前面にはレールクリップ３を当てて、レールクリップ３とレールブラケット２とを、ボルト４とナット５で締結している。レールブラケット２は支持板である座板６を介して建築梁７に固定されており、これにより、実質的に建物からガイドレール１を支持している。
【０００４】
また、その他の従来のエレベータ用ガイドレールの支持具の一例としては例えば特開平６−２３９５５９号公報、特開平７−２９１５４９号公報、特開平９−５２６７５号公報等が挙げられる。
【０００５】
【発明が解決しようとする課題】
ところで、上記のような従来のエレベータ用ガイドレールの支持具は、次のような問題点があった。
一般に、昇降路のかごと壁の間には、信号線、位置検出器、ガバナーロープなど多くの機器類が配置されるので、支持具およびその取付に必要なスペースは出来るだけ少ないほどよいが、従来のエレベータ用ガイドレールの支持具の場合には、ガイドレール側面に支持具のためのスペースが多く必要であるという問題点があった。
また、展望用のエレベータでは、かご内からガイドレールが見えるが、支持具がレールから出っ張り、見栄えが悪いという問題点があった。
【０００６】
この発明は、このような従来の問題点を解決するためになされたものであり、レールクリップのガイドレール背面巾からの突出量を極限まで小さくした構造とすることで、支持具およびその取付に必要なスペースを出来るだけ少なくし、また、見栄えがよくて意匠性に優れたエレベータ用ガイドレールの支持具を提供することを目的とする。
【０００７】
【課題を解決するための手段】
この発明に係るエレベータ用ガイドレールの支持具は、略Ｔ字形の断面のガイドレールの背面巾からの突出量を小さくした板状のレールクリップと、上記ガイドレールの背面に設けられ、該ガイドレールに対して上記レールクリップを、諦結ボルトを介して固定するレールブラケットとを備えたものである。
【０００８】
また、この発明に係るエレベータ用ガイドレールの支持具は、上記レールクリップが、上記ガイドレールに対し、略Ｌ字状に曲げられ、該Ｌ字状の一辺に上記締結ボルトが挿通される穴または切欠きが設けられ、上記Ｌ字状の他の一辺が上記ガイドレールの一面を押しつけるバネ性を持たせるように一部を曲げて構成されるものである。
【０００９】
また、この発明に係るエレベータ用ガイドレールの支持具は、上記レールブラケットが、ボルトとネジ穴を介して上記ガイドレールの背面を押し付ける押圧機構を有するものである。
【００１０】
また、この発明に係るエレベータ用ガイドレールの支持具は、上記押圧機構が、上記ボルトが挿通されるレールクリップ固定部と、上記ネジ穴が形成された押圧調整部からなり、上記レールクリップ固定部と上記押圧調整部を溶接して一体化した構造をなすものである。
【００１１】
【発明の実施の形態】
以下、この発明の実施の形態を、図に基づいて説明する。
実施の形態１．
図１は、この発明の実施の形態１によるエレベータ用ガイドレールの支持具を示すもので、図１（ａ）はその断面図、図１（ｂ）はかご側から見たその正面図である。
図１において、１１は略Ｔ字形の断面を有するガイドレール、１２はガイドレール１１の背面にあって、後述のレールクリップの穴または切欠きに挿通された諦結ボルトを介してレールクリップを固定するレールブラケット、１３はガイドレール１１の背面巾からの突出量を極限まで小さくした構造を有するレールクリップ、１４は締結ボルト、１５はナットである。
【００１２】
また、１６は座板、１７は建築梁、１８はガイドレール１１を押さえつける押し付け力を調整できる押圧機構をなす調整ボルトである。レールクリップ１３は、ガイドレール１１に対して略Ｌ字状に曲げられ、Ｌ字状の一辺に締結ボルト１４が挿通する穴または切欠きが設けられ、Ｌ字状の他の一辺は実質的にガイドレール１１の一面を押し付けるバネ性を持たせるように一部を曲げて構成した板状の構造である。
【００１３】
ここで、略Ｌ字状のレールクリップ１３と、レールブラケット１２とを締結ボルト１４およびナット１５で締結し、調整ボルト１８で背面からガイドレール１１を押し付ける。
【００１４】
図２は、レールブラケットの詳細を示す断面図である。
図２において、レールブラケット１２は、レールクリップ１３を固定するレールクリップ固定部１２ａと、押圧調整部１２ｂとを溶接し、一体化した構造となっている。１２ｃは締結ボルト１４が挿通される穴であって、この穴１２ｃは切り欠きでもよい。１２ｄは調整ボルト１８が挿通されるネジ穴である。
【００１５】
このようにして、本実施の形態では、レールクリップを、ガイドレールに対し略Ｌ字状に曲げ、このＬ字状の一辺に締結ボルトが挿通する穴または切欠きを設け、Ｌ字状の他の一辺は実質的にガイドレールの一面を押しつけるバネ性を持たせるように一部を曲げて構成した板状とし、このレールクリップを、レールブラケットによりレールクリップの穴または切欠きに挿通された諦結ボルトを介して固定するので、ガイドレールの側面即ち背面幅からのレールクリップの突出量が少なく、昇降路内の他の機器との干渉がなくなり、また、見栄えが良く、展望用エレベータなど、昇降路内部が見えるエレベータにおいて意匠性に優れたものとなる。
【００１６】
また、レールブラケットが、ボルトとネジ穴を介してガイドレールの背面を押し付ける押圧機構を備えているので、ガイドレールの支持力を適宜調整できる。
【００１７】
【発明の効果】
以上のように、この発明によれば、略Ｔ字形の断面のガイドレールの背面巾からの突出量を小さくした板状のレールクリップと、上記ガイドレールの背面に設けられ、該ガイドレールに対して上記レールクリップを、諦結ボルトを介して固定するレールブラケットとを備えたので、ガイドレール側面からのレールクリップの突出が少なく、昇降路内の他の機器との干渉がなくなり、また、見栄えが良く、展望用エレベータなど、昇降路内部が見えるエレベータにおいて意匠性に優れているという効果がある。
【００１８】
また、この発明によれば、上記レールクリップが、上記ガイドレールに対し、略Ｌ字状に曲げられ、該Ｌ字状の一辺に上記締結ボルトが挿通される穴または切欠きが設けられ、上記Ｌ字状の他の一辺が上記ガイドレールの一面を押しつけるバネ性を持たせるように一部を曲げて構成されるので、ガイドレール側面からのレールクリップの突出量の低減や昇降路内の他の機器との干渉の防止、また、見栄えを良くして意匠性の向上に寄与できるという効果がある。
【００１９】
また、この発明によれば、上記レールブラケットが、ボルトとネジ穴を介して上記ガイドレールの背面を押し付ける押圧機構を有するので、ガイドレールの支持力を適宜調整できるという効果がある。
【００２０】
また、この発明によれば、上記押圧機構が、上記ボルトが挿通されるレールクリップ固定部と、上記ネジ穴が形成された押圧調整部からなり、上記レールクリップ固定部と上記押圧調整部を溶接して一体化した構造をなすので、ガイドレールの支持力を適宜調整するのに寄与できるという効果がある。
【図面の簡単な説明】
【図１】この発明の実施の形態１によるエレベータ用ガイドレールの支持具を示す構成図である。
【図２】この発明の実施の形態１によるエレベータ用ガイドレールの支持具の要部を示す構成図である。
【図３】従来のエレベータ用ガイドレールの支持具を示す構成図である。
【符号の説明】
１１　ガイドレール、　　１２　レールブラケット、　　１３　レールクリップ、　　１４　締結ボルト、　　１５　ナット、　　１６　座板、　　１７　建築梁、　　１８　調整ボルト。
【図１】
2004018260.tif 000003
【図２】
2004018260.tif 000004
【図３】
2004018260.tif 000005